(57)【要約】【課題】  格別の工具やネジ締めやボルトを必要とせずに形成した鋼板際の枠板からブロック箱枠及びこのブロック箱枠の複数から組立ブロック箱枠棚を提供することである。【解決手段】  縦・横が実質的に同一大きさからなる左右用壁面２及び上下用壁面３の２面を横に連接し、上下端に断面コ字状の筒状折返部９を有する鋼板製の枠板１の２枚を対称的に直角に折曲げ向かい合わせに配置し、それぞれの一側辺に形成の挿入舌片１１を他辺の細孔１７に挿入し、かつ、他辺の重合部片１４に形成の押し込み片１５を一側辺に形成の長方形孔１２に重ねて押し込み係合し、図６に示すブロック箱枠１９に組立て、これらの複数個のブロック箱枠１９を上下左右に組み合わせて挟着治具２０により連接して組立ブロック箱枠棚２１を形成した。【選択図】      図６
2006094959.tif 000002
【特許請求の範囲】
【請求項１】
縦・横が実質的に同一大きさからなる左右用壁面２及び上下用壁面３の２面を横に連接した鋼板製の枠板１からなり、該枠板１の左右用壁面２及び上下用壁面３の２面間の境界線４上に山折りに折り曲げ容易とする複数個の線状切り込み５を形成し、該横に連接した２面の各上辺６及び各下辺７から突出する端部８を設け、各端部８を同一幅で直角に２度谷折りして断面コ字状の筒状折返部９に形成し、該枠板１の左右用壁面２の側辺１０の上部、中部及び下部にそれぞれ該側辺１０から外側に枠板厚みの２〜３倍の長さに突出する挿入舌片１１を形成し、かつ、上部及び下部の挿入舌片１１の位置に側辺１０を中心に対峙する左右用壁面２の側辺１０の内部位置に上部及び下部の長方形孔１２を開口し、一方、上下用壁面３の側辺１３の上部から下部にわたり外側に突出する重合部片１４を形成し、上記左右用壁面２の側辺１０の長方形孔１２に対応する重合部片１４の位置に該長方形孔１２へ挿入係合する押し込み片１５を切り込み形成し、上下用壁面３の側辺１３と重合部片１４との境界線１６で重合部片１４を直角に山折りし、左右用壁面２の側辺１０に形成の上下の挿入舌片１１を挿入係止する上下の細孔１７を側辺１３と該重合部片１４の境界線１６に形成していることを特徴とする鋼板製の組立ブロック箱枠棚用の枠板１。
【請求項２】
鋼板製の枠板１の横に連接した左右用壁面２及び上下用壁面３はそれそれ複数個の開口１８の複数列とを配列して有することを特徴とする請求項１に記載の鋼板製の組立ブロック箱枠棚用の枠板１。
【請求項３】
請求項１又は２に記載の鋼板製の組立ブロック箱枠棚用の枠板１の２枚をセットとし、該セットの２枚の各枠板１を境界線４で直角に山折りし、これらの山折りした２枚の枠板１を対向配置してブロック箱枠１９の形状に配置し、該ブロック箱枠１９の形状の左右用壁面２の側辺１０の上下の挿入舌片１１を対向する他の山折りした枠板の上下用壁面３の側辺１３の上下の細孔１７に挿入係合すると共に、他の山折りした枠板１の上下用壁面３の側辺１３の重合部片１４の上下の押し込み片１５を対向する山折りした枠板１の左右用壁面２の側辺１０に開口の上下の長方形孔１２の上に重ね合わせ、該重合部片１４の上下の押し込み片１５を直角方向に内側に折曲げて長方形孔１２に係合してブロック箱枠１９に形成したことを特徴とする前後面の上下左右の４周に断面コ字状の筒状折返部９を有する鋼板製のブロック箱枠１９。
【請求項４】
請求項３に記載の鋼板製のブロック箱枠１９の複数個からなり、ブロック箱枠１９の断面コ字状の筒状折返部９の端部９ａに隣接のブロック箱枠１９の断面コ字状の筒状折返部９の端部９ａを併置及び突き合わせにより配設し、この配設した互いの断面コ字状の筒状折返部９の端部９ａの筒内外面９ｂ、９ｃに、筒状折返部９の筒内面９ｂに挿入する脚片２０ａと筒状折返部９の筒外面９ｃを覆う装飾盤面２０ｂからなる筒状折返部９の挟着治具２０を挿着係合し、隣接する鋼板製のブロック箱枠１９同士を接合一体化して形成したことを特徴とする鋼板製の組立ブロック箱枠棚２１。
【発明の詳細な説明】
【技術分野】
【０００１】
この発明は、板金加工により成形した鋼板製の枠板を手で容易に折曲げ加工して得たブロック箱枠に組立てし、さらにこのブロック箱枠を溶接やネジ締めやボルト締めを要することなく縦・横に接合して組み立てた鋼板製のブロック箱枠棚に関する。
【背景技術】
【０００２】
従来、工場や事務所あるいは商店や家庭の居室において、工具や器具あるいは書類や商品を保管したり展示したり、若しくはパンフレットやノートや本や、あるいは置物や身の回り品等を飾ったり保管するために、キャビネットやロッカーや書棚や、あるいは商品の陳列棚などが使用されている。これらのキャビネットやロッカーや書棚や、あるいは商品の陳列棚などは、作り付けのものが一般的であるが、本棚や飾り棚などの棚類には組立式のものも種々開発されている。しかし、このような従来の組立式の棚類にあっては、棚板を支持する側枠に予め棚板を種々の高さ位置に係止するためのネジ孔を開口しておき、これらの高さの異なるネジ孔位置を自在に選択し、この選択した位置にネジ孔を側部に設けた棚板を当てがい、その位置の側枠の外側からネジを両者のネジ孔に挿通してネジ締めすることで、棚板の位置を上下に変更したり、あるいは棚板の数を増減したりする組立式棚類が一般的である。
【０００３】
これらの組立式の棚類の組立てには、多数のネジ類をワッシャーと共にネジ孔に通して締結する必要があり、このためにドライバーやレンチなどの工具を必要不可欠としていた。また、その組立ては、多数のネジ類を一つずつ締めつけるので、時間が掛かり、さらに、ネジ締めでは均等な締め付けが容易にできないため、組立て後、棚類の締め付けがゆるんできてぐらつきを生ずるものが多くあった。
【０００４】
さらに、これらの組立式の棚類は、その大きさ自体がほぼ使用目的の大きさのものであり、単に搬送時の積み荷の容積を小さくするために、組立て形式にしたものであり、組み立てた同一の棚類を横に並べて横方向に連ねることは可能であるが、これらを縦方向の上に積み上げると連結部の接合が弱くなるため、縦に積み上げることはできなかった。
【０００５】
一方、種々の大きさのボトル類が陳列でき、簡単な構造で、商品の全貌が認識でき、しかもどの段からも商品が取り出せる、陳列容易な陳列什器として、商品陳列トレイの四隅に柱状の脚を一体に取り付ける子トレイの複数個からなり、使用時の子トレイの脚と他の子トレイの脚とを嵌合により積み重ねて用い、収納時には子トレイの商品陳列トレイと他の子トレイの商品陳列トレイの積み重ねによりスタッキングする陳列什器（例えば、特許文献１参照。）がある。
【０００６】
【特許文献１】特開２０００−１９７５４３号公報
【０００７】
しかし、このものは縦にのみ積み重ねるものであり、横に展開できず、この縦に積み重ねたものを横に並べても、横方向が互いに連結されていないので、横からの力に弱い問題があり、また、柱間及び棚板間よりも大きなものを陳列できない問題があった。
【発明の開示】
【発明が解決しようとする課題】
【０００８】
本発明が解決しようとする課題は、折曲げが容易である構造の鋼板製の枠板からなり、これらの枠板を格別の工具を必要とせずに、かつ、ネジ締めやボルト締めの道具を必要とせずあるいは溶接などを必要とせずに、手で組立て可能である構造で、しかも剛体からなり容易に撓むことのないブロック箱枠が得られ、さらに得られたブロック箱枠を縦横自在に簡単な挟着治具のみを使用して接合し、種々の大きさの物品を安全に収納可能な鋼板製の組立ブロック箱枠棚とすることができる鋼板からなる枠板とその挟着治具並びにそれから組み立てたブロック箱枠及びブロック箱枠棚を提供することである。
【課題を解決するための手段】
【０００９】
上記の課題を解決するための本発明の手段は、請求項１の発明では、縦・横が実質的に同一大きさからなる左右用壁面２及び上下用壁面３の２面を横に連接した鋼板製の枠板１からなり、該枠板１の左右用壁面２及び上下用壁面３の２面間の境界線４上に山折りに折り曲げ容易とする複数個の線状切り込み５を形成し、該横に連接した２面の各上辺６及び各下辺７から突出する端部８を設け、各端部８を同一幅で直角に２度谷折りして断面コ字状の筒状折返部９に形成し、該枠板１の左右用壁面２の側辺１０の上部、中部及び下部にそれぞれ該側辺１０から外側に枠板厚みの２〜３倍の長さに突出する挿入舌片１１を形成し、かつ、上部及び下部の挿入舌片１１の位置に側辺１０を中心に対峙する左右用壁面２の側辺１０の内部位置に上部及び下部の長方形孔１２を開口し、一方、上下用壁面３の側辺１３の上部から下部にわたり外側に突出する重合部片１４を形成し、上記左右用壁面２の側辺１０の長方形孔１２に対応する重合部片１４の位置に該長方形孔１２へ挿入係合する押し込み片１５を切り込み形成し、上下用壁面３の側辺１３と重合部片１４との境界線１６で重合部片１４を直角に山折りし、左右用壁面２の側辺１０に形成の上下の挿入舌片１１を挿入係止する上下の細孔１７を側辺１３と該重合部片１４の境界線１６に形成していることを特徴とする鋼板製の組立ブロック箱枠棚用の枠板１である。
【００１０】
請求項２の発明では、鋼板製の枠板１の横に連接した左右用壁面２及び上下用壁面３はそれそれ複数個の開口１８の複数列とを配列して有することを特徴とする請求項１の手段の鋼板製の組立ブロック箱枠棚用の枠板１である。
【００１１】
請求項３の発明では、請求項１又は２の手段における鋼板製の組立ブロック箱枠棚用の枠板１の２枚をセットとし、該セットの２枚の各枠板１を境界線４で直角に山折りし、これらの山折りした２枚の枠板１を対向配置してブロック箱枠１９の形状に配置し、該ブロック箱枠１９の形状の左右用壁面２の側辺１０の上下の挿入舌片１１を対向する他の山折りした枠板の上下用壁面３の側辺１３の上下の細孔１７に挿入係合すると共に、他の山折りした枠板１の上下用壁面３の側辺１３の重合部片１４の上下の押し込み片１５を対向する山折りした枠板１の左右用壁面２の側辺１０に開口の上下の長方形孔１２の上に重ね合わせ、該重合部片１４の上下の押し込み片１５を直角方向に内側に折曲げて長方形孔１２に係合してブロック箱枠１９に形成したことを特徴とする前後面の上下左右の４周に断面コ字状の筒状折返部９を有する鋼板製のブロック箱枠１９である。
【００１２】
請求項４の発明では、請求項３の手段における鋼板製のブロック箱枠１９の複数個からなり、ブロック箱枠１９の断面コ字状の筒状折返部９の端部９ａに隣接のブロック箱枠１９の断面コ字状の筒状折返部９の端部９ａを併置及び突き合わせにより配設し、この配設した互いの断面コ字状の筒状折返部９の端部９ａの筒内外面９ｂ、９ｃに、筒状折返部９の筒内面９ｂに挿入する脚片２０ａと筒状折返部９の筒外面９ｃを覆う装飾盤面２０ｂからなる筒状折返部９の挟着治具２０を挿着係合し、隣接する鋼板製のブロック箱枠１９同士を接合一体化して形成したことを特徴とする鋼板製の組立ブロック箱枠棚２１である。
【発明の効果】
【００１３】
本発明の鋼板製の組立ブロック箱枠棚用の枠板は、縦・横が実質的に同一の大きさからなる左右用壁面及び上下用壁面の２面を横に連接した鋼板製の枠板からなり、線状切り込みを左右用壁面と上下用壁面の２面間に有するので手で容易に折り曲げができ、かつ、壁面の端部に断面コ字状の筒状折返部を有するので、この枠板からブロック箱枠及びブロック箱枠棚を形成したとき端部の剛性が高く、かつ、この筒状折返部を隣接の筒状折返部に簡単な連結用の治具で接続できて各枠板の端部を一体化でき、その結果、ブロック箱枠棚の強度も極めて高いものとすることができ、さらに組立ブロック箱枠やブロック箱枠棚の組立てにおいて、ネジやボルトや格別な工具を必要とせず、さらに溶接を必要とせず、簡単な押え具のみで容易に組み立てることができ、また各組立ブロック箱枠内に棚板を適宜追加することができ、さらにブロック箱枠棚の形状や大きさを追加の部材を加えることで容易に自在に変更でき、各種の商品やパンフレットや書籍や、あるいは装飾品を飾ったり、テレビを載置したり、照明器具を配置したり、工場や商店の部品や商品の陳列保管のみならず、家庭の日用品や書籍を自在に載置できるなど、部屋や居室の大きさに左右されることなく組立て及び変更ができ、さらに他の家具や什器類の周囲やその上部にも組立てることもできるなど、その部屋の空間の大きさに合わせた組立ブロック箱枠棚を自在に組立てできるので、部屋の空所を有効利用することができ、本発明は優れた効果を奏するものである。
【発明を実施するための最良の形態】
【００１４】
本発明を実施するための最良の形態を、図面を参照しながら説明する。先ず、請求項１の発明の実施の形態では、図１に示すように、鋼板製の組立ブロック箱枠棚用の枠板１は、機械構造用鋼からなる亜鉛メッキ鋼板に焼き付け塗装した厚さ０．８ｍｍの鋼板から板金加工により形成する。これは鋼板を材料とするゆえに、一般の業務用の事務書棚等と同様の塗装を適宜施すができる。このように塗装を簡便に施しうる素材であるため、これから形成した本発明の組立てブロック箱枠棚２１は周囲の環境に違和感なく溶け込めるような室内配置が簡易に実現可能となる。
この場合、書類として最も一般的なＡ４ファイルが載置できる大きさのブロック箱枠１９をユニットとする。このブロック箱枠１９を形成するための枠板１は、縦が３０５．４ｍｍ、横が３１２．１ｍｍの大きさの実質的に同一形状の左右用壁面２と上下用壁面３の２面を横に連接した形状の鋼板から形成する。この枠板１の左右用壁面２と上下用壁面３の２面の間を境界線４とし、この境界線４の上に幅４ｍｍの折曲げ幅の空隙からなる線状切り込み５を設け、この境界線４で左右用壁面２と上下用壁面３の２面を直角に山折りする。この際、線状切り込み５は山折りを容易とするために設けるもので、境界線４の上下の両端部の各１０ｍｍの区間を除き、幅３ｍｍ×長さ２０ｍｍの複数個の線状切り込み５を境界線４上に１８ｍｍ置きに８個を形成する。
【００１５】
枠板１の横に連接した左右用壁面２と上下用壁面３の２面のそれぞれの上辺６及び下辺７には、上下に突出する端部８が設けられている。これらの各端部８は略１０ｍｍ幅毎の仮想折り線９ｄで直角に２度谷折されて、図２に示すように、断面コ字状の筒状折返部９に形成されている。この断面コ字状の筒状折返部９を有するので、枠板１はたとえ厚さが０．８ｍｍの鋼板からなるものであっても、枠板１の剛性は断面コ字状の筒状折返部９により極めて高いものとなっている。枠板１の左右の側辺１０と側辺１３のさらに外側には挿入舌片１１と重合部片１４が延在する。すなわち、左右用壁面２の側辺１０の上部、中部及び下部の各領域にこれらの領域から外側に枠板厚みの２〜３倍の長さ、例えば１．６〜２．４ｍｍ、で突出する挿入舌片１１が形成され、さらに上部及び下部の挿入舌片１１の位置に側辺１０を中心に対峙する左右用壁面２の側辺１０の内部位置の上部及び下部にそれぞれ長方形孔１２を開口している。側辺１３で重合部片１４は断面コ字状の筒状折返部９と反対に上下用壁面３の側辺１３の境界線１６で直角に山折りされている。
【００１６】
一方、上下用壁面３の側辺１３の上部から下部にわたる領域の外側に側辺１３から外側に突出する重合部片１４を形成し、上記の左右用壁面２の側辺１０の長方形孔１２に対応するこの重合部片１４の位置にそれぞれ押し込み片１５を切り込み形成する。これらの押し込み片１５はブロック箱枠１９の組立て時に側辺１０の長方形孔１２へ挿入係合される。ところで、上記のように上下用壁面３の側辺１３と重合部片１４との境界線１６で重合部片１４は直角に谷折りされる。さらに左右用壁面２の側辺１０に形成の上中下の３箇所の挿入舌片１１を挿入係止するために、上下用壁面３の側辺１３と重合部片１４との境界線１６上の上中下の３箇所に細孔１７が形成されている。
【００１７】
なお、上記の枠板１のそれぞれの板金加工により形成した鋼板の端面の部分は、組立て時あるいは製品としたときに切断バリが形成されたまま残っていると、作業者や使用者の手などを傷つける危険がある。そこで長方形孔１２や細孔１７や後記する開口１８などの孔や折り込み部の端部あるいは各部材の周縁端部に予め面取りを施しておく。すなわち各端面の稜の角の部分は全て面取り装置により面取りによりバリを除去し、安全に組立て作業を進めることができ、また組立て後も安心して使用に供することができるものとしている。
【００１８】
請求項２の発明の実施の形態では、上記の請求項１の手段において、さらに鋼板製の枠板１の横に連接した左右用壁面２及び上下用壁面３には、それぞれの面に複数個の開口１８の複数列を配列して設けている。例えば、図１の（ａ）に示すように、左右用壁面２には１列に４個の平方形の開口１８ａを配し、この列の４列を並列のものとして左右用壁面２の１面に１６個を配設し、一方それに連接した上下用壁面３には１列に１３個の縦長の開口１８ｂを配し、この３列を横に並列して上下用壁面３の１面に３９個を配列する。もちろん、図１の（ｂ）に示すように、左右用壁面２も上下用壁面３と同じ形状の縦長の開口１８ｂを１列に１３個を配し、この列を４列の並列のものとすることもできる。これらの複数列の配列の開口１８は、枠板１の荷重を軽減するために設けたものであり、左右用壁面２の複数列の開口１８を平方形の開口１８ａとするときは荷重をより一層に軽減することができる。この場合、上記のようにこれらの複数個の開口１８の配列からなる複数列の列数は左右用壁面２と上下用壁面３を区別する目印のためにその列数を異なるものとする。なお、本発明の実施の形態の説明において、図６を除いて図２以下の図面には開口１８として図１の（ｂ）に示すタイプの開口１８ｂを左右用壁面２と上下用壁面３に示して説明している。もちろん、図１の（ａ）に示すタイプの開口１８ａを左右用壁面２に有するものを使用できることは云うまでもない。図６では開口１８としてその（ａ）で開口１８ａを左右用壁面２に有するものを、その（ｂ）で開口１８ｂを左右用壁面２に有するものをそれぞれ示している。
【００１９】
それは上記の請求項１の手段の実施の形態で説明したように、図１で示す左右用壁面２の左端には側辺１０から１．６〜２．４ｍｍ突出する挿入舌片１１が形成され、これらの挿入舌片１１が、後述の請求項３の発明におけるブロック箱枠１９としたとき、上下用壁面３の右側の側辺１３と重合部片１４との境界線１６上に設けた細孔１７内に上下方向に単に挿通される。一方、上下用壁面３の側辺１３から外側に突出する重合部片１４は上記したように境界線１６で直角に山折りされた構造となって、左右用壁面２の側辺１０の長方形孔１２に押し込み片１５を挿通し折り曲げて係合される。したがって、このブロック箱枠１９は、左右方向から加わる力に対しては、押し込み片１５が左右方向で直角に噛み合っただけであるが、挿入舌片１１が細孔１７に挿入係合されているのでこの係合が左右の移動を阻止しているので容易に外れることがない。しかし、挿入舌片１１は単に細孔１７に上下方向に挿通されているに過ぎないので、挿入舌片１１は上下方向の力に対して係止力がない。しかし、この場合は押し込み片１５の直角方向に押し込まれた噛み込みで係止されることとなり、上下方向の力が作用してもこの噛み込みは外れることはない。そこで、このような左右用壁面２と上下用壁面３の係止の仕方に違いのあることを示すために、例えば、左右用壁面２の壁面の列数を４列とし、上下用壁面３用の列数を３列としてその違いをわかりやすく示している。
【００２０】
請求項３の発明の実施の形態では、請求項１又は請求項２の手段における鋼板製の組立ブロック箱枠棚２１に用いる枠板１の２枚を図２に示すものとこれと表裏対称の図４に示すものを１セットとし、この１セットの枠板１の２枚の各枠板１をそれぞれ左右用壁面２と上下用壁面３の境界線４で、図３に示すように、筒状折返部９が外側に突出するように直角に山折りする。次いで、これらの直角に山折りした２枚の枠板１を、図５に示すように、それぞれ向かい合わせに配置してブロック箱枠１９の形状とする。次いでこのブロック箱枠１９の形状の一方の１枚の山折りした枠板１の左右用壁面２の側辺１０の上中下の挿入舌片１１を向かい合わせの残りの１枚の山折りした枠板１の上下用壁面３の側辺１３の上中下に設けた細孔１７に挿入して嵌合する。同時に、この残りの１枚の山折りした枠板１の上下用壁面３の側辺１３の外側の重合部片１４に形成した左右の押し込み片１５を向かい合わせに配置した他の１枚の山折りした枠板１の左右用壁面２の側辺１０に開口した左右の長方形孔１２の上に重ね合わせ、それぞれの重合部片１４に切り込み形成した左右の押し込み片１５をそれぞれ直角方向に内側に折り曲げ、長方形孔１２の左右端部に係合する。
【００２１】
この場合、図８に示すように、左右の押し込み片１５の間には、例えば３〜４ｍｍの間隔２２を少し開けておくと、左右の押し込み片１５を押し込み具２４により押し込み方向２４ｆに押して内側に折り曲げた際に内側から突出し過ぎることはない。さらに、図９に示すように、押し込み片１５の挿入される先端部分に位置する長方形孔１２の長手方向の内辺に円状窪み２３を形成しておくと、押し込み片１５を押し込みやすい。上記の押し込み片１５を左右の内側へ折り曲げるためには、ドライバーの先で押し込んでも容易にできる。しかし、図７に示す押し込み具２４を使用し、長方形孔１２に当接した左右の押し込み片１５の開口の間隔２２内に、図８に示すように、押し込み具２４の先端から突出したガイド突起２４ａを矢印２４ｆ方向に押し入れる。すなわち、指穴２４ｃに指を入れ、握り部２４ｅの後端の押し板部２４ｄに手の平を当てがって握り、斜め後方に拡大する押し込み部２４ｂを左右の押し込み片１５に当接しながら押し込み方向２４ｆに押す。このようにして左右の押し込み片１５の中央端部を前方内部に押し込み、長方形孔１２と左右の押し込み片１５とを容易に係合するものである。このように挿入舌片１１を細孔１７に単に挿入係合すること及び左右の押し込み片１５を長方形孔１２に挿入して内方に折り曲げることによりブロック箱枠１９とする。以上の組立て方法により、図６に示す前後面側の上下左右の４周に断面コ字状の筒状折返部９を有する鋼板製のブロック箱枠１９が形成される。なお、上記したように、図６の（ａ）は左右壁面２に開口１８として正方形の開口１８ａを有するブロック箱枠１９であり、図６の（ｂ）は左右壁面２に開口１８として長方形の開口１８ｂを有するブロック箱枠１９である。この場合、図６の（ａ）のブロック箱枠１９は正方形の開口１８ａを設けているので、図６の（ｂ）のブロック箱枠１９に比し一層に軽量化されている上に、棚板を開口１８ａにより支持する際に、棚板の開口１８ａへの挿着が容易となる。
【００２２】
さらに、請求項４の山折りした枠板１の発明の実施の形態を説明する。請求項４に係る実施の形態は、上記で説明した請求項３の発明により組立てられた鋼板製のブロック箱枠１９を用いるもので、これらの複数個のブロック箱枠１９を縦方向及び横方向に連接することで組立てた鋼板製の組立ブロック箱枠棚２１である。この連接による組立てについて説明する。先ず、上記の請求項３の実施の形態で得られた断面コ字状の筒状折返部９を有する複数個の鋼板製のブロック箱枠１９において、図１４に示すように、それらのブロック箱枠１９に対しそれぞれ縦や横から隣接して他のブロック箱枠１９を配置する。この配置でブロック箱枠１９の断面コ字状の筒状折返部９の端部９ａに隣接してブロック箱枠１９の断面コ字状の筒状折返部９の端部９ａを突き合わせ状に配置する。このようにして複数のブロック箱枠１９の断面コ字状の筒状折返部９の端部９ａを順次突き合わせ状に配置する。次いで、これらの突き合わせ状に配置した複数の鋼板製のブロック箱枠１９の互いの断面コ字状の筒状折返部９の端部９ａの筒内面９ｂと筒外面９ｃに挟着治具２０を挿着して互いに隣接するブロック箱枠１９どうしを係合して一体化する。このように隣接する鋼板製のブロック箱枠１９どうしを順次接続して目的とする大きさの組立ブロック箱枠棚２１を得る。
【００２３】
次いで、上記した隣接するブロック箱枠１９どうしを係合して一体化するために使用する挟着治具２０について説明する。図１０から図１３を参照して説明する。この挟着治具２０はブロック箱枠１９の断面コ字状の筒状折返部９の筒内面９ｂに挿入する脚片２０ａと筒状折返部９の筒外面９ｃを被覆する装飾板２０ｂとで形成されている。さらに脚片２０ａと装飾板２０ｂは溶着部２０ｄで溶着されている。これらの脚片２０ａと装飾板２０ｂとの間にブロック箱枠１９用の鋼板の板厚の約２倍の隙間２０ｅを有するものとしている。さらに脚片２０ａにはスリット状切り込み２０ｃがその端部から中心方向に形成されている。このスリット状切り込み２０ｃのスリットの隙間も上記と同様にブロック箱枠１９用の鋼板の板厚の約２倍の隙間を有するものとしている。そこで、これらのスリット状切り込み２０ｃを隣接する筒状折返部９を形成する２枚の鋼板を挟持状に挿着し、それぞれの筒内面９ｂにそれぞれの脚片２０ａを挿入することにより、それぞれの筒状折返部９の端部９ａどうしを挟着して一体化し、隣接するブロック箱枠１９どうしを連接することにより組立ブロック箱枠体２１に形成している。
【００２４】
これらの挟着治具２０は、ブロック箱枠１９を上下左右に連接するものでは、図１０に見られるように、上下に脚片２０ａを有し、表面の装飾板２０ｂは左右上下に対称の円形板から形成されている。これらの脚片２０ａにはスリット状切り込み２０ｃを有し、溶着部２０ｄで溶接されている。さらに脚片２０ａと装飾板２０ｂの間には隙間２０ｅが形成され鋼板を挟持可能とされている。
【００２５】
さらに組立ブロック箱枠棚２１の最上段あるいは最下段において、その左右を突き合わせて連接する場合に使用する挟着治具２０は、図１１に示す。挟着治具２０の装飾板２０ｂは表面側の半円板と上面側または下面側の台形板の折曲げ板とからなる。その脚片２０ａはスリット状切り込み２０ｃを有し、台形板の折曲げ板部で装飾板２０ｂの上面側または下面側と溶着部２０ｄで溶接されて形成されている。
【００２６】
さらに組立ブロック箱枠棚２１の左右端において、その上下を突き合わせて連接する場合に使用する挟着治具２０は、図１２に示すように、その脚片２０ａにスリット状切り込み２０ｃはなく、単に突き合わせた筒状折返部９の上下の筒内面９ｂに挿通して筒内面９ｂと筒外面９ｃをその装飾板２０ｂの表面側の半円板とで挟持して上下のブロック箱枠１９どうしを係合して一体化するものである。
【００２７】
図１３に示す挟着治具２０は、ブロック箱枠１９どうしを係合して一体化するために使用するものではなく、組立ブロック箱枠棚２１にしたときの上下左右の４隅のコ字状の筒状折返部９の端部９ａが剥き出しになるので、これを隠すために端部９ａに挿着するものであり、図１３はその右下隅用であり、上下左用は図示しないが、図１３のものを上下左右を対称にしたものである。その形状は１／４円の形状の装飾板２０ｂとそれらに連なる折り曲げ板を有し、この折り曲げ板の大きさは断面コ字状の筒状折返部９の筒外面９ｃの幅と同様とする。この１／４円の装飾板２０ｂの内側には、上下左右の４隅のコ字状の筒状折返部９の端部９ａに挿着するための脚片２０ａを有する。この脚片２０ａは挟持するものでないので当然にスリット状切り込み２０ｃを有していない。
【００２８】
上記したこれらの挟着治具２０は、図１４に示すように、その使用される場所に応じて上下・左右対称に配置されて使用される。例えば４個のブロック箱枠１９を連接して組立ブロック箱枠棚２１とするとき、上下左右を連接する円形の装飾板２０ｂを有する挟着治具２０を使用する。上下辺の２個あるいは左右辺の２個の間を連接する挟着治具２０には、図１１に示す挟着治具２０を使用する。さらにこのブロック箱枠１９を連接して組立ブロック箱枠棚２１としたときの上下左右の４隅に使用する挟着治具２０には、図１２に示す挟着治具２０を使用する。このようにして図１５に示す組立ブロック箱枠棚２１は形成される。なお、図示していないが、組立ブロック箱枠棚２１の隣接するブロック箱枠１９の当接する断面コ字状の筒状折返部９の筒内面９ｂ間に長尺の鋼棒を通すことで強度を一層高めることもできる。
【００２９】
このようにして、本発明に係るブロック箱枠１９を縦・横に連接して組立ブロック箱枠棚２１とするとき、中間部のブロック箱枠１９を合わせて複数個除去することで、例えばテレビ載置用の棚とすることもできる。この場合、隣接のブロック箱枠１９間はスリット状切り込み２０ｃを脚片２０ａに有する挟着治具２０で挟持して連接するので、このように中間部のブロック箱枠１９を除去しても、組立ブロック箱枠棚２１は十分な強度を維持することができる。なお、上記した長尺の鋼棒を筒状折返部９の筒内面に通すことによって、除去したブロック箱枠１９の部分の強度をより高めることができる。このようにして本願発明の組立ブロック箱枠棚２１を室内の壁面一杯の高さに安全に組み立てることができる。
【００３０】
さらに、本発明における組立ブロック箱枠棚２１は、上下壁間に多段のスリット状に開口した適宜高さ位置の開口１８に縦向きの板体の突出脚を差し込むことで、そのブロック箱枠１９内部に縦方向の間仕切を設けることができる。例えばこの間仕切りによりブックエンドのような機能を簡易に持たせたりできる。さらに左右壁間に多段の開口した適宜奥行き位置の開口１８に水平な鋼板を渡してブロック箱枠１９内部に棚をこしらえることも簡易に行いうる。この場合、図６の（ａ）に示すように左右用壁面２に正方形の開口１８ａを設けると、棚板の鋼板を渡してその端部に設けた挿入舌片を開口１８ａに挿着するときに、棚板を斜めとすることで挿着が容易となる。さらに各ブロック箱枠１９の背面側にその内部の大きさ形状にしたハニカム構造のあるいはプラスチック板からなる段ボール板をはめ込むことで、裏板を設けることもできる。また、裏板の代わりに、各ブロック箱枠１９の背面側に対角線上に筋交いを渡しこんで筋交いの端部を例えば筒状折返部９の端部９ａに係止するなどの手段で、箱枠の強度を高めたり、装飾性を持たせたりしてもよい。
【００３１】
また、さらに、複数の事務机をその天板を突き合わせるように向かい合わせに配置し、対向するこれらの事務机の天板上に、これらの天板の境界を跨ぐようにしてブロック箱枠１９を複数個組み合わせて載置することにより、事務机上に仕切壁兼用の書棚を簡易に形成することができる。ところで、事務机の天板の外周縁には縁取りの枠がはまっていることが多く、机のつき合わせ部分が出っ張っていることが多い。そのため、突き合わせた机の間を跨ぐように棚を設置するとぐらつきやすく、座りが悪い欠点があった。本発明に係るブロック箱枠１９は、机の合わせ部分が出っ張っていたとしても、筒状折返部９でその部分を跨ぐ形で設置可能である。すなわち、本物品の荷重は正面側下部の筒状折返部９と背面側下部の筒状折返部９とで支えられるため、正面側下部の筒状折返部９を一方の机の天板上に載置し、背面側下部の筒状折返部９を他方の机の天板上に載置することにより、突き合わせた机の合わせ部分が出っ張りと無関係に使用することができるものとなる。
【００３２】
さらに、ブロック箱枠１９を複数個組み合わせた後で、たとえばその一番上の段のブロック箱枠１９の内部に照明器具を配置すると、スリット状の開口１８から光が周囲に漏れでて外部を照らし出すため、その周囲の雰囲気を美的にかもしだし、優れた演出を奏功できる。
【図面の簡単な説明】
【００３３】
【図１】本発明の鋼板製の組立ブロック箱枠棚の組立用の枠板の展開図で、（ａ）は左右用壁面に正方形の開口を設けたものであり、（ｂ）は左右用壁面に縦長の開口を設けたものである。
【図２】本発明の鋼板製の枠板の斜視図である。
【図３】本発明の鋼板製の枠板を直角に折り曲げた斜視図である。
【図４】図２の鋼板製の枠板の裏面側から見た斜視図である。
【図５】図２に示す直角に折り曲げた鋼板製の枠板の２枚を対称的に配置した斜視図である。
【図６】本発明のブロック箱枠の斜視図である。
【図７】本発明のブロック箱枠の組立てに使用する押し込み具の斜視図である。
【図８】押し込み片と長孔との押し込み具による係合を示す部分拡大斜視図である。
【図９】他の実施の形態の押し込み片と長孔との係合を示す部分拡大斜視図である。
【図１０】組立ブロック箱枠棚の上下左右のブロック箱枠の係合用の挟着治具で、（ａ）正面側斜視図、（ｂ）背面側斜視図、（ｃ）正面図、（ｄ）背面図、（ｅ）側面図である。
【図１１】組立ブロック箱枠棚の最上段及び最下段のブロック箱枠の係合用の挟着治具で、（ａ）最上段係合用正面側斜視図、（ｂ）最上段係合用背面側斜視図、（ｃ）最上段係合用正面図、（ｄ）最上段係合用背面図、（ｅ）最上段係合用平面図、（ｆ）最上段係合用側面図、（ｇ）最下段係合用正面側斜視図、（ｈ）最下段係合用背面側斜視図、（ｉ）最下段係合用正面図、（ｊ）最下段係合用背面図、（ｋ）最下段係合用平面図、（ｌ）最下段係合用側面図である。
【図１２】組立ブロック箱枠棚の側部上下段のブロック箱枠の係合用の挟着治具で、（ａ）左側面上下係合用正面側斜視図、（ｂ）左側面上下係合用背面側斜視図、（ｃ）左側面上下係合用正面図、（ｄ）左側面上下係合用左側側図、（ｅ）左側面上下係合用背面図、（ｆ）左側面上下係合用右側側面図、（ｇ）左側面上下係合用底面図、（ｈ）右側面上下係合用正面側斜視図、（ｉ）右側面上下係合用背面側斜視図である。
【図１３】組立ブロック箱枠棚の右下隅に係合する挟着治具で、（ａ）正面側斜視図、（ｂ）背面側斜視図、（ｃ）正面図、（ｄ）底面図、（ｅ）左側側面図、（ｆ）右側側面図、（ｇ）背面図、（ｈ）底面図である。
【図１４】組立ブロック箱枠棚の組立て説明用の斜視図である。
【図１５】組立ブロック箱枠棚の斜視図である。
【符号の説明】
【００３４】
１  枠板
２  左右用壁面
３  上下用壁面
４  境界線
５  線状切り込み
６  上辺
７  下辺
８  端部
９  筒状折返部
９ａ  端部
９ｂ  筒内面
９ｃ  筒外面
９ｄ  仮想折り線
１０  側辺
１１  挿入舌片
１２  長方形孔
１３  側辺
１４  重合部片
１５  押し込み片
１６  境界線
１７  細孔
１８  開口
１８ａ  開口
１８ｂ  開口
１９  ブロック箱枠
２０  挟着治具
２０ａ  脚片
２０ｂ  装飾板
２０ｃ  スリット状切り込み
２０ｄ  溶着部
２０ｅ  隙間
２１  組立ブロック箱枠棚
２２  隙間
２３  円状窪み
２４  押し込み具
２４ａ  ガイド突起
２４ｂ  押し込み部
２４ｃ  指穴
２４ｄ  押し板部
２４ｅ  握り部
２４ｆ  押し込み方向
【図１】
2006094959.tif 000003
【図２】
2006094959.tif 000004
【図３】
2006094959.tif 000005
【図４】
2006094959.tif 000006
【図５】
2006094959.tif 000007
【図６】
2006094959.tif 000008
【図７】
2006094959.tif 000009
【図８】
2006094959.tif 000010
【図９】
2006094959.tif 000011
【図１０】
2006094959.tif 000012
【図１１】
2006094959.tif 000013
【図１２】
2006094959.tif 000014
【図１３】
2006094959.tif 000015
【図１４】
2006094959.tif 000016
【図１５】
2006094959.tif 000017